(57)【要約】【課題】母屋と屋根パネルを引き寄せることが可能な固定具を提供する。【解決手段】固定具１００は、建築部材１を、建物の横架材４に対して固定するために用いられる。固定具１００は、建築部材１に固定される第１部材１０と、横架材４と係合する係合部２３を備えた第２部材２０と、建築部材１と横架材４を引き寄せるための調整部材３０と、を有し、第１部材１０は、第１突出部１２を備え、第２部材２０は、第２突出部２２を備え、調整部材３０を操作して、第１突出部１２と第２突出部２２との間隔を調整することで建築部材１と横架材４を引き寄せることが可能である。【選択図】図１Ａ
2019173399.tif 000002
【特許請求の範囲】
【請求項１】
建築部材を、建物の横架材に対して固定するために用いられる固定具であって、
該固定具は、
前記建築部材に固定される第１部材と、
前記横架材と係合する係合部を備えた第２部材と、
前記建築部材と前記横架材を引き寄せるための調整部材と、を有し、
前記第１部材は、第１突出部を備え、
前記第２部材は、第２突出部を備え、
前記調整部材を操作して、前記第１突出部と前記第２突出部との間隔を調整することで前記建築部材と前記横架材を引き寄せることが可能であることを特徴とする固定具。
【請求項２】
前記第１部材は、前記第２部材と連結部材によって連結されており、
前記第２部材には、前記連結部材が挿通される挿通孔が形成されていることを特徴とする請求項１に記載の固定具。
【請求項３】
前記挿通孔は、長孔であることを特徴とする請求項２に記載の固定具。
【請求項４】
前記調整部材は、
頭部と、
該頭部から延出する雄ネジが形成された軸部を備え、
前記第１突出部は、前記雄ネジに対応する雌ネジを備え、
前記調整部材の前記雄ネジと前記第１突出部の前記雌ネジが螺合した状態で前記調整部材を回転操作することで、前記第１突出部と前記第２突出部との間隔を調整することが可能であることを特徴とする請求項１乃至３のいずれか一項に記載の固定具。
【請求項５】
前記第２部材は、前記第１部材に対して回動可能に連結されており、
前記第２部材は、前記係合部が前記横架材と係合不可能な第１位置と、前記係合部が前記横架材と係合可能な第２位置と、に移動可能であることを特徴とする請求項１乃至４のいずれか一項に記載の固定具。
【請求項６】
前記第１部材は、前記第２部材の回動を規制するストッパーを有することを特徴とする請求項５に記載の固定具。
【請求項７】
前記第１部材は、前記第１部材を前記建築部材に固定するための締結部材を挿入するための取付孔を備え、
前記第２部材は、前記第１位置において前記取付孔と重なる位置に開口を備えていることを特徴とする請求項５又は６に記載の固定具。
【請求項８】
建物の横架材に取り付けられる建築部材であって、
前記建築部材は、前記建築部材に取り付けられた固定具と、を備え、
該固定具は、
前記建築部材に固定された第１部材と、
前記横架材と係合する係合部を備えた第２部材と、
前記建築部材と前記横架材を引き寄せるための調整部材と、を有し、
前記第１部材は、第１突出部を備え、
前記第２部材は、第２突出部を備え、
前記調整部材を操作して、前記第１突出部と前記第２突出部との間隔を調整することで前記建築部材と前記横架材を引き寄せることが可能であることを特徴とする建築部材。
【請求項９】
横架材と、
該横架材に取り付けられる建築部材と、を備える建物であって、
前記建築部材は、前記建築部材に取り付けられた固定具と、を備え、
該固定具は、
前記建築部材に固定された第１部材と、
前記横架材と係合する係合部を備えた第２部材と、
前記建築部材と前記横架材を引き寄せるための調整部材と、を有し、
前記第１部材は、第１突出部を備え、
前記第２部材は、第２突出部を備え、
前記調整部材を操作して、前記第１突出部と前記第２突出部との間隔を調整することで前記建築部材と前記横架材を引き寄せることが可能であることを特徴とする建物。
【発明の詳細な説明】
【技術分野】
【０００１】
本発明は、固定具、建築部材及び建物に係り、特に、建築部材を枠体に対して固定するために用いられる固定具、当該固定具を用いて構成された建築部材、及び、当該建築部材を用いて構成された建物に関する。
【背景技術】
【０００２】
建物の建設工事において、長尺部品を有する建築部材を枠体に対して固定する際に固定具が用いられることは、既に知られている。上記の固定具の一例としては、長尺部品である垂木を有する屋根パネルを建物躯体中の母屋に対して固定する際に用いられる固定具が挙げられる（例えば特許文献１）。
【０００３】
特許文献１には、屋根パネルの垂木の側面に固定された板状の基体に回動可能に取り付けられた係合体と、係合体に回動可能に取り付けられた略Ｌ字状の鈎体を備えた固定具に関して、係合体と鈎体を金槌で叩くことで、係合体と鈎体を母屋のリップに食い込ませて垂木を母屋に固定するための固定具が記載されている。
【０００４】
上記の固定具について説明するにあたり、屋根パネルを母屋に対して固定する手順について図４を参照しながら概説する。図４は、屋根パネルを母屋に対して固定する手順についての説明図であり、母屋に固定された屋根パネルを示す模式図である。
【０００５】
屋根パネル１は、上端面２ａ及び下端面２ｂを有する長尺部品としての垂木２と、垂木２の上端面２ａの上に載置された略矩形板の野地板３と、によって構成されている。そして、屋根パネル１は、傾斜屋根を構成するものであり、図４に示すように水平方向に対して傾いた状態（すなわち、垂木２が傾斜した状態）で建物躯体にセットされる。
【０００６】
より具体的に説明すると、建物躯体には、母屋が屋根の傾斜方向において互いに異なる位置に複数（図４の構成では２つ）配置されている。ここで、母屋は、例えば横架材であるリップ溝形鋼４によって構成されている。そして、屋根パネル１の垂木２は、その下端面２ｂが、各リップ溝形鋼４の上壁４ｔと接するようにして、複数のリップ溝形鋼４の各々の長手方向（すなわち、桁方向）と垂木２の長手方向とが互いに略直交した姿勢にて各リップ溝形鋼４の上に載置される。その後、垂木２が各リップ溝形鋼４に対して固定されるが、この際に固定具が用いられる。
【先行技術文献】
【特許文献】
【０００７】
【特許文献１】実公平４−７２９０号公報
【発明の概要】
【発明が解決しようとする課題】
【０００８】
従来の固定具を用いて屋根パネルを母屋に固定する場合には、軒先が揃いにくく、屋根パネルを載置した際に母屋と屋根パネルとの間に隙間ができた場合であっても、母屋と屋根パネルを引き寄せることができなかった。
【０００９】
本発明は、上記の課題に鑑みてなされたものであって、その目的は、母屋と建築部材、例えば、横架材と屋根パネルを引き寄せることが可能な固定具を提供することにある。
また、本発明の他の目的は、母屋と建築部材、例えば、横架材と屋根パネルを引き寄せることが可能な建築部材を提供することにある。
さらに、本発明の他の目的は、母屋と建築部材、例えば、横架材と屋根パネルを引き寄せることが可能な建築部材を用いて構成された建物を提供することにある。
【課題を解決するための手段】
【００１０】
前記課題は、本発明の固定具によれば、建築部材を、建物の横架材に対して固定するために用いられる固定具であって、該固定具は、前記建築部材に固定される第１部材と、前記横架材と係合する係合部を備えた第２部材と、前記建築部材と前記横架材を引き寄せるための調整部材と、を有し、前記第１部材は、第１突出部を備え、前記第２部材は、第２突出部を備え、前記調整部材を操作して、前記第１突出部と前記第２突出部との間隔を調整することで前記建築部材と前記横架材を引き寄せることが可能であることにより解決される。
【００１１】
上記のように構成された本発明の固定具によれば、第１部材の第１突出部と第２部材の第２突出部との間隔を調整部材によって調整することで、建物の横架材と建築部材とを引き寄せて固定することが可能となる。
【００１２】
また、上記の構成において、前記第１部材は、前記第２部材と連結部材によって連結されており、前記第２部材には、前記連結部材が挿通される挿通孔が形成されているとよい。
上記の構成では、第１部材と第２部材とが連結部材によって連結されているため、第１部材と第２部材との相対的な位置関係を制限することができる。
【００１３】
また、上記の構成において、前記挿通孔は、長孔であるとよい。
上記の構成では、第１部材と第２部材が連結部材によって連結され、連結部材が第２部材に形成された長孔に相通されているため、第１部材に対する第２部材の移動を長孔の延在方向に制限することができる。
【００１４】
また、上記の構成において、前記調整部材は、頭部と、該頭部から延出する雄ネジが形成された軸部を備え、前記第１突出部は、前記雄ネジに対応する雌ネジを備え、前記調整部材の前記雄ネジと前記第１突出部の前記雌ネジが螺合した状態で前記調整部材を回転操作することで、前記第１突出部と前記第２突出部との間隔を調整することが可能であるとよい。
上記の構成では、調整部材の軸部に設けられた雄ネジと、第１突出部に設けられた雌ネジが螺合した状態で調整部材の回転操作を行うことで第１突出部と第２突出部との間隔が調整されるため、間隔の調整を適切に行うことが可能であり、調整された間隔が維持される。
【００１５】
また、上記の構成において、前記第２部材は、前記第１部材に対して回動可能に連結されており、前記第２部材は、前記係合部が前記横架材と係合不可能な第１位置と、前記係合部が前記横架材と係合可能な第２位置と、に移動可能であるとよい。
上記の構成では、第１部材に対して第２部材が回動可能に連結されているため、第２部材を係合部が横架材と係合不可能な第１位置と、係合部が横架材と係合可能な第２位置に切り替えることができ、固定具を取り付けた建築部材の運搬時などに第２部材を適切な位置へと退避させることが可能となる。
【００１６】
また、上記の構成において、前記第１部材は、前記第２部材の回動を規制するストッパーを有するとよい。
上記の構成では、第２部材の回動がストッパーによって所定の位置で規制されるため、適切な位置に第２部材を配置することが可能となる。
【００１７】
また、上記の構成において、前記第１部材は、前記第１部材を前記長尺部品に固定するための締結部材を挿入するための取付孔を備え、前記第２部材は、前記第１位置において前記取付孔と重なる位置に開口を備えているとよい。
上記の構成では、第１部材の取付孔と第２部材の開口が重なるように配置されており、締結部材による固定具の建築部材に対する固定が行いやすくなるようになっている。
【発明の効果】
【００１８】
本発明に係る固定具を用いることにより、建物の躯体を構成する母屋（例えば、横架材）と建築部材（例えば、垂木を備えた屋根パネル）との間に隙間ができた場合であっても、母屋と建築部材を引き寄せることが可能となる。
また、本発明の建築部材（例えば、屋根パネル）によれば、建築部材（例えば、屋根パネルの垂木）に取り付けられた固定具によって母屋と建築部材を引き寄せることが可能となる。
さらに、本発明の建物によれば、建築部材（例えば、屋根パネル）に取り付けられた固定具によって母屋（例えば、横架材）と建築部材を引き寄せることが可能となっており、母屋と建築部材との間に隙間が生じることが防止される。
【図面の簡単な説明】
【００１９】
【図１Ａ】本発明の一実施形態に係る固定具の外観図である。
【図１Ｂ】本発明の一実施形態に係る固定具の外観図である。
【図２Ａ】本発明の一実施形態に係る固定具を垂木に固定した状態であって、第２部材が第１位置にある状態を示す図である。
【図２Ｂ】本発明の一実施形態に係る固定具をリップ溝形鋼に固定する前の状態であって、第２部材が第２位置にある状態を示す図である。
【図２Ｃ】本発明の一実施形態に係る固定具によって屋根パネルとリップ溝形鋼を引き寄せた後の状態を示す図である。
【図３Ａ】本発明の一実施形態に係る固定具を用いて屋根パネルとリップ溝形鋼を引き寄せる手順を示す図である（その１）。
【図３Ｂ】本発明の一実施形態に係る固定具を用いて屋根パネルとリップ溝形鋼を引き寄せる手順を示す図である（その２）。
【図４】母屋に固定された屋根パネルを示す模式図である。
【発明を実施するための形態】
【００２０】
以下、本発明の一実施形態（以下、本実施形態）に係る固定具の構成について図１乃至３Ｂ、既出の図４を参照しながら説明する。図１Ａ及び図１Ｂは、本実施形態に係る固定具１００の外観図である。なお、図１には、矢印にて固定具１００の高さ方向を図示している。図２Ａは、本実施形態に係る固定具１００を長尺部品としての垂木２に固定した状態であって第２部材２０が第１位置にある状態を示す図であり、図２Ｂは、固定具１００を現場にて母屋に固定する前の状態を示す図であって、第２部材２０が第２位置にある状態を示す図であり、図２Ｃは、固定具１００によって屋根パネル１とリップ溝形鋼４を引き寄せた後の状態を示す図である。なお、図２Ａ乃至２Ｃには、矢印にて固定具１００の高さ方向及び垂木２の長手方向を図示している。図３Ａ及び図３Ｂは、固定具１００を用いて屋根パネル１とリップ溝形鋼４を引き寄せる手順を示す図であり、図３Ａ及び図３Ｂの順に状態が遷移する。なお、図３Ａ及び図３Ｂには、矢印にて固定具１００の高さ方向、上下方向（鉛直方向）及び垂木２の長手方向を図示している。
【００２１】
＜固定具１００＞
先ず、本実施形態に係る固定具１００の用途、材質及び形状等について説明する。
本実施形態に係る固定具１００（以下、単に固定具１００）は、建物の傾斜屋根を構成する屋根パネル１（建築部材に相当）を建物躯体の母屋に対して固定する際に用いられるものである。屋根パネル１は、長尺部品としての垂木２と、垂木２の上に載置された略矩形平板状の野地板３と、によって構成されている。屋根パネル１は、図４に示すように、垂木２が水平方向に対して傾斜した状態、厳密には、軒先側の端がより下方に位置した状態でセットされる。
【００２２】
母屋は、建物躯体において棟木（不図示）と平行に配置されたリップ溝形鋼４（横架材に相当）からなる。なお、母屋をなすリップ溝形鋼４は、図４に示すように、屋根の傾斜方向において異なる位置に複数（図４に図示のケースでは２つ）配置されている。また、各リップ溝形鋼４の開口側の端は、屋内側（妻方向における内側）を向いている。すなわち、各リップ溝形鋼４は、その開口側端部に設けられた一対のリップ部が上下に並んだ状態で配置されている。
【００２３】
そして、固定具１００は、垂木２が複数のリップ溝形鋼４に跨った姿勢にて屋根パネル１を各リップ溝形鋼４に固定する際に用いられる。
【００２４】
固定具１００は金属で形成されており、長尺部品である垂木２に固定された第１部材１０と、横架材であるリップ溝形鋼４と係合する係合部を備えた第２部材２０と、調整ボルト３０とを主構成要素として備えている（図１Ａ及び図１Ｂ）。
【００２５】
（第１部材１０）
第１部材１０は、図１Ａ及び図１Ｂに示すように、垂木２に取り付けられる取付部１１と、第１部材１０が垂木２に取り付けられたときに、垂木２の長手方向と交差する方向に突出した第１突出部１２を備えている。換言すると、第１突出部１２が垂木２の上端面２ａ及び下端面２ｂに対して平行に突出するように、第１部材１０が垂木２に取り付けられる。
【００２６】
取付部１１には、取付孔１１ａが各端部付近に２つずつ設けられており、後述するネジ４０（締結部材に相当）によって、垂木２に取り付けられる。また、取付部１１には、リベットであるカシメピン１３（連結部材、回転軸に相当）が取り付けられている。カシメピン１３には、第２部材２０の長孔２４が係合する。
【００２７】
第１突出部１２は、取付部１１の上側の端部から略９０°折り曲げて形成されている。第１突出部１２には、第１部材１０の高さ方向において、第１突出部１２を貫通する貫通孔と連続して形成された筒部１２ａが設けられており、貫通孔及び筒部１２ａの内側には、雌ネジ１２ｂが形成されている。
【００２８】
また、図１Ｂに示すように、取付部１１には、第１突出部１２と同じ方向（つまり、垂木２の長手方向と交差する方向）に突出したストッパー１４が形成されており、第２部材２０の回動を規制するように構成されている。
【００２９】
（第２部材２０）
第２部材２０は、図１Ａ及び図１Ｂに示すように、第１部材１０の取付部１１と重なるように配置される基部２１と、基部２１から突出する第２突出部２２と、横架材であるリップ溝形鋼４と係合するフック部２３（係合部に相当）を備えている。
【００３０】
第２部材２０の第２突出部２２は、固定具１００が垂木２に取り付けられたときに、図１Ａ及び図１Ｂに示す状態（後述する第２位置に相当）において、垂木２の長手方向と交差する方向（換言すると第１突出部１２と同じ方向）に突出している。また、第２突出部２２には、調整ボルト３０を受容する凹部２２ａが形成されている。
【００３１】
第２部材２０の基部２１の下方には、横架材であるリップ溝形鋼４と係合するフック部２３が形成されている。また、第２部材２０の基部２１の第２突出部２２付近には、第１部材１０に取り付けられたカシメピン１３が挿通される長孔２４（挿通孔に相当）が形成されている。長孔２４は、図１Ａ及び図１Ｂに示す状態、具体的には、第２部材２０が第１部材１０から懸下し、フック部２３が固定具１００において下方に位置する状態において、固定具１００の高さ方向（換言すると調整部材である調整ボルト３０の延在方向）に延在するように形成されている。
【００３２】
第２部材２０の基部２１には、長孔２４とフック部２３との間に、開口２５が２つ設けられている。後述するように、第１部材１０に対して第２部材２０を回動させたときに、第２部材２０の開口２５と、第１部材１０の取付孔１１ａとが重なるようになっている。
【００３３】
（調整ボルト３０）
調整ボルト３０（調整部材に相当）は、図１Ａ及び図１Ｂに示すように、頭部３１と、頭部３１から延出する雄ネジ３２ａが形成された軸部３２を備えている。調整ボルト３０の軸部３２が、第１突出部１２に設けられた筒部１２ａに挿入され、軸部３２の雄ネジ３２ａが、第１突出部１２の貫通孔及び筒部１２ａに形成された雌ネジ１２ｂと螺合している。
【００３４】
調整ボルト３０の軸部３２は第２突出部２２の凹部２２ａに受容される。ここで、凹部２２ａは、調整ボルト３０の軸部３２より若干大きく形成されているが、調整ボルト３０の頭部３１よりは小さく形成されている。したがって、図１Ａ及び図１Ｂに示す状態で、頭部３１を回転操作すると、頭部３１が上方へと移動して第２突出部２２に引っかかるように構成されている。
【００３５】
後述するように、調整ボルト３０の頭部３１が第２部材２０の第２突出部２２に引っかかるように係合した状態で、調整ボルト３０の頭部３１を回転操作することで、第２突出部２２が持ち上げられて第１突出部１２に近づくように上昇をして、第１突出部１２と第２突出部２２との間隔を小さくするように調整することが可能となっている。
【００３６】
（固定具１００の動作について）
次に、固定具１００の取り得る状態及び動作について図２Ａ乃至図２Ｃを参照して説明をする。
図２Ａは、固定具１００を垂木２に固定した工場出荷時の状態を示す図である。第１部材１０の取付孔１１ａと第２部材２０の開口２５が重なるように配置されている。したがって、取付孔１１ａと開口２５を介してネジ４０による固定具１００の固定作業が容易なものとなっている。このとき、第１部材１０の第１突出部１２は、垂木２の長手方向と交差する方向に突出している。より詳細には、垂木２の上端面２ａ及び下端面２ｂに対して平行に突出している。
【００３７】
図２Ａに示す状態において、第２部材２０のフック部２３が固定具１００において上方に位置しており、フック部２３は、垂木２の上端面２ａよりも下方、かつ、垂木２の下端面２ｂよりも上方に位置する。このとき、第２部材２０は、リップ溝形鋼４と係合不可能な位置（第１位置に相当）にある。また、第２部材２０の第２突出部２２は、垂木２の長手方向と交差する方向に突出している。より詳細には、垂木２の上端面２ａ及び下端面２ｂに対して直交するように突出している。
【００３８】
図２Ｂは、固定具１００を現場にてリップ溝形鋼４に固定する前の状態を示す図である。図２Ａに示す状態から、第２部材２０を、カシメピン１３を中心に時計回りに９０°回転させた状態である。このとき、第１部材１０のストッパー１４に第２部材２０が当接して、第２部材２０が適切に展開するようになっている。
【００３９】
図２Ｂに示す状態では、第２部材２０が第１部材１０から懸下し、フック部２３が固定具１００において下方に位置しており、垂木２の下端面２ｂよりも下方に位置する。第２部材２０は、リップ溝形鋼４と係合可能な位置（第２位置に相当）にある。このとき、第２部材２０の第２突出部２２は、垂木２の長手方向と交差する方向に突出している。より詳細には、垂木２の上端面２ａ及び下端面２ｂに対して平行に突出している。
【００４０】
図２Ｂに示す状態から、調整ボルト３０の頭部３１を回転操作すると、調整ボルト３０の頭部３１が上方へと移動をして第２突出部２２と接触する。そして、更に頭部３１を回転操作すると、第２突出部２２が持ち上げられて第１突出部１２に近づく方向へと移動する。
【００４１】
このとき、第２部材２０の長孔２４には、第１部材１０に取り付けられたカシメピン１３が挿通されており、第１部材１０に対する第２部材２０の上方への移動が長孔２４の延在方向に制限されるため、第２突出部２２が第１突出部１２に対して平行を保ったまま移動する。
【００４２】
第２部材２０の第２突出部２２が持ち上げられることで、フック部２３も上昇する。フック部２３を上昇させることで、後述するように、リップ溝形鋼４の上側リップ部４ａに係合させることが可能となる。
【００４３】
図２Ｃは、固定具１００によって屋根パネル１とリップ溝形鋼４を引き寄せた後の状態を示す図である。図２Ｂに示す状態から、更に調整ボルト３０の頭部３１を回転操作することで、図２Ｃに示すように、第２突出部２２が第１突出部１２と当接するまで移動させることが可能となっている。
【００４４】
＜固定具１００の使用方法＞
次に、固定具１００の使用方法について、図２Ａ乃至図２Ｃ、図３Ａ及び図３Ｂを参照して説明する。
まず、屋根パネル１の製造工場において、固定具１００を、図２Ａに示す状態とし、第１部材１０の取付孔１１ａにネジ４０（締結部材に相当）を挿入して固定具１００を垂木２の下端面２ｂ付近に固定する。図２Ａの状態においては、第１部材１０の取付孔１１ａと第２部材２０の開口２５が重なるように配置されており、ネジ４０による固定具１００の工程が行いやすくなるようになっている。固定具１００が固定された屋根パネル１を工場から出荷して、現場に運搬する。
【００４５】
このとき、第１部材１０と第２部材２０が重なるように配置されており、第２部材２０が展開されていないため（つまり、フック部２３が固定具１００において上方に位置しており、フック部２３が垂木２の下端面２ｂよりも上方に位置するため）、屋根パネル１の運搬時に複数の屋根パネル１を重ねた際に、第２部材２０が他の屋根パネル１と接触してしまうことが防止される。
【００４６】
次に、屋根パネル１の施工現場において、図２Ｂに示すように第２部材２０を、カシメピン１３を中心に時計回りに９０°回転させ、第２部材２０を展開して、第２部材２０を第１部材１０から懸下させる。このようにして、第２部材２０のフック部２３を、リップ溝形鋼４と係合可能な位置（換言すると、垂木２の下端面２ｂよりも下方の位置）に配置する。
【００４７】
そして、図３Ａに示すように、屋根パネル１の垂木２を各リップ溝形鋼４の上壁４ｔの上に載せる。このとき、第２部材２０のフック部２３は、リップ溝形鋼４の上側リップ部４ａ及び下側リップ部４ｂの間に位置した状態にある。
【００４８】
屋根パネル１の垂木２を各リップ溝形鋼４の上壁４ｔの上に載せた際に、第１部材１０の第１突出部１２及び第２部材２０の第２突出部２２は、横架材であるリップ溝形鋼４の延出方向に突出している。換言すると、第１突出部１２及び第２突出部２２は、リップ溝形鋼４の上壁４ｔと平行方向に突出している。
【００４９】
調整ボルト３０の頭部３１を回転操作すると、やがて、第２部材２０のフック部２３がリップ溝形鋼４の上側リップ部４ａに係合した状態となる。このとき、屋根パネル１とリップ溝形鋼４の間には隙間が生じることがあるが、第２部材２０のフック部２３がリップ溝形鋼４の上側リップ部４ａに係合した状態で、調整ボルト３０を更に回転操作することで、第１突出部１２と第２突出部２２との間隔が小さくなるように調整をすることができる。そして、図３Ｂに示すように、第２突出部２２を、第１突出部１２と当接するまで移動させて、屋根パネル１とリップ溝形鋼４の引き寄せを行う。
【００５０】
引き寄せが行われた後の図３Ｂに示す状態では、第２部材２０のフック部２３がリップ溝形鋼４の上側リップ部４ａと係合した状態で、第１突出部１２と第２突出部２２が当接し、調整ボルト３０の頭部３１が第２突出部２２の下面に当接し、調整ボルト３０の軸部３２に設けられた雄ネジ３２ａが、第１突出部１２の貫通孔及び筒部１２ａに形成された雌ネジ１２ｂと螺合している。したがって、固定具１００によって屋根パネル１とリップ溝形鋼４とが引き寄せられた状態で固定される。
【００５１】
＜固定具１００の作用＞
以上説明した固定具１００によれば、第１部材１０の第１突出部１２と第２部材２０の第２突出部２２との間隔を調整部材（調整ボルト３０）によって調整することで、建物の躯体を構成する母屋（横架材であるリップ溝形鋼４）と長尺部品（垂木２）を備えた建築部材（屋根パネル１）とを引き寄せて固定することが可能となる。
【００５２】
固定具１００によれば、第１部材１０と第２部材２０とが連結部材（カシメピン１３）によって連結されているため、第１部材１０と第２部材２０との相対的な位置関係を制限することができる。
【００５３】
固定具１００によれば、第１部材１０と第２部材２０が連結部材（カシメピン１３）によって連結され、連結部材が第２部材２０に形成された長孔２４に相通されているため、第１部材１０に対する第２部材２０の移動を長孔２４の延在方向に制限することができる。
【００５４】
固定具１００によれば、調整部材（調整ボルト３０）の軸部３２に設けられた雄ネジ３２ａと、第１突出部１２の貫通孔及び筒部１２ａに設けられた雌ネジ１２ｂが螺合した状態で調整部材の回転操作を行うことで第１突出部１２と第２突出部２２との間隔が調整されるため、間隔の調整を適切に行うことが可能である。また、筒部１２ａがある場合、雌ネジ１２ｂの長さを長くすることができるため、調整部材（調整ボルト３０）と第１突出部１２との係合状態がより強固なものとなるため、第１突出部１２と第２突出部２２の間隔を調整する際に、調整部材（調整ボルト３０）の回転力が効率的に伝達され、さらに、調整された間隔が強固に維持される。
【００５５】
固定具１００によれば、第１部材１０に対して第２部材２０が回動可能に連結されているため、第２部材２０を係合部（フック部２３）が横架材（リップ溝形鋼４）と係合可能な第２位置と、係合部が横架材と係合不可能な第１位置に切り替えることができ、固定具１００を取り付けた建築部材（屋根パネル１）の運搬時などに第２部材２０を適切な位置へと退避させることが可能となる。
【００５６】
固定具１００によれば、第２部材２０の回動がストッパー１４によって所定の位置で規制されるため、適切な位置に第２部材２０を配置することが可能となる。
【００５７】
固定具１００によれば、係合部が横架材と係合不可能な第１位置において、第１部材１０の取付孔１１ａと第２部材２０の開口２５が重なるように配置されており、締結部材（ネジ４０）による固定具１００の長尺部品（垂木２）に対する固定が行いやすくなるようになっている。
【００５８】
＜変形例＞
以上までに、本発明の一実施形態に係る固定具１００の構成について説明してきたが、上記の実施形態は、本発明の理解を容易にするための一例に過ぎず、本発明を限定するものではない。すなわち、本発明は、その趣旨を逸脱することなく、変更、改良され得ると共に、本発明にはその等価物が含まれることは勿論である。
【００５９】
特に、固定具１００の構造、材質、形状及び寸法等については、上記の実施形態の中で説明した内容に限定されず、本発明の趣旨を逸脱しない限りにおいて任意に設計することが可能である。
【００６０】
また、上記の実施形態では、屋根パネル１を母屋（横架材）に固定する際に用いられる固定具１００について説明したが、これに限定されるものではない。すなわち、本発明の固定具は、長尺部品を備える建築部材を横架材に対して固定する際に用いられるものであり、屋根パネル１以外の建築部材、例えば、長尺部品としての支持材を備える床パネルを床梁（横架材である大引）に対して固定する際に用いられるものであってもよい。
【００６１】
また、上記の実施形態では、固定具１００によって屋根パネル１を母屋に対して恒常的に固定する場合を例に挙げて説明したが、これに限定されるものではない。すなわち、本発明の固定具は、建物の建築工事において屋根パネル１を母屋に対して仮固定（一時的に固定）する場合に用いられるもの、換言すると、屋根パネル１固定用の治具として用いられるものであってもよい。
【符号の説明】
【００６２】
１  屋根パネル（建築部材）
２  垂木（長尺部品）
２ａ  上端面
２ｂ  下端面
３  野地板
４  リップ溝形鋼（母屋、横架材）
４ａ  上側リップ部
４ｂ  下側リップ部
４ｔ  上壁
１００  固定具
１０  第１部材
１１  取付部
１１ａ  取付孔
１２  第１突出部
１２ａ  筒部
１２ｂ  雌ネジ
１３  カシメピン（連結部材、回転軸）
１４  ストッパー
２０  第２部材
２１  基部
２２  第２突出部
２２ａ  凹部
２３  フック部（係合部）
２４  長孔
２５  開口
３０  調整ボルト（調整部材）
３１  頭部
３２  軸部
３２ａ  雄ネジ
４０  ネジ（締結部材）
【図１Ａ】
2019173399.tif 000003
【図１Ｂ】
2019173399.tif 000004
【図２Ａ】
2019173399.tif 000005
【図２Ｂ】
2019173399.tif 000006
【図２Ｃ】
2019173399.tif 000007
【図３Ａ】
2019173399.tif 000008
【図３Ｂ】
2019173399.tif 000009
【図４】
2019173399.tif 000010